(57)【特許請求の範囲】
【請求項１】
可撓性を有する金属製リング状基部、該金属製リング状基部の外側周縁に沿って立設された、集魚灯保持具の開口部の外周部にはめ合される金属製壁部、そして該金属製リング状基部の内側周縁に沿って金属製壁部と同じ方向に更に内周側に傾斜を以って立設された、集魚灯を保持具に固定するための可撓性金属製板状固定手段からなり、該固定手段が三個以上の部分に互いに切り離された板状片から構成され、かつ該板状片の内側に、集魚灯と点接触する突起が備えられている集魚灯の固定具。
【請求項２】
金属製壁部が耐熱性と可撓性とを有する樹脂材料により被覆されている請求項１に記載の集魚灯の固定具。
【請求項３】
管球の先端または中央部の外径が、口金に埋め込まれている管球基部の外径よりも大きくされている管球とねじ込み式の口金とからなる集魚灯を、電源に接続され、管球口金ホルダを内部に有する集魚灯保持具と、該集魚灯保持具の開口部の外周部にめ合わされている集魚灯固定具とによって保持固定する集魚灯の保持固定方法であって、該集魚灯固定具が請求項１もしくは請求項２に記載の集魚灯の固定具であることを特徴とする集魚灯の保持固定方法。
【発明の詳細な説明】
【０００１】
【産業上の利用分野】
本発明は、魚類、いかなどの漁の際に、それらを効率良く集めるために使用される集魚灯を安全かつ確実に保持固定する集魚灯の固定具および集魚灯の保持固定方法に関する。
【０００２】
【従来の技術】
近年、船上設置用の集魚灯として、従来使用されている白熱電球の代わりに、ハロゲン電球や、効率の良いメタルハライドランプが利用されるようになってきたが、更に、船上に設置する集魚灯の明るさ（全光束）をますます大きくすることが求められている。光量を増すために集魚灯のランプ電力が大きくなり、また集魚灯の搭載数を増すために集魚灯の体積をできるだけ小さくする必要があるところから、点灯時の集魚灯の外管の温度は非常に高温（場合によっては６００〜７００℃程度、あるいはそれ以上）となり、従来使用されている集魚灯具（集魚灯の保持具）では安全かつ確実な保持が困難になってきている。
【０００３】
従来より一般的に用いられている集魚灯具による集魚灯の保持方法を図４に示す。
【０００４】
集魚灯４０１は、管球４０２の先端または中央部の外径が、口金４０３に埋め込まれている管球基部の外径よりも大きくされている管球４０２とねじ込み式の口金４０３とからなる。このような先端または中央部が膨張した形状は、大光量を発する集魚灯が同時に発する光熱を効率良く放熱するために一般的に利用されている。
【０００５】
集魚灯具（集魚灯の保持固定装置）４０４は、集魚灯保持具（ランプ保持具）４０５と集魚灯保持具４０５の外周部にリング状基部４０６で螺合されている管球保持部材４０７とから構成されている。集魚灯保持具４０５は、電源コード４０８によって電源（図示なし）に接続されていて、その内部には、集魚灯口金ホルダ４０９が収容固定されている。集魚灯保持具４０５の外周部には、ねじ４１０が備えられており、管球保持部材４０７の基部４０６の内側には、ねじ４１０に対応するねじ（図示なし）が切られていて、集魚灯保持具４０５と管球保持部材４０７とを相対的に逆に回転させることにより、管球保持部材４０７が上下に移動可能なように螺合されいる。管球保持部材４０７は、内側にねじ部を有するリング状基部４０６そして該リング状基部より立設された数本の支柱４１１を介してその頂部に固定されたリング状集魚灯固定具４１２とから構成されている。集魚灯固定具４１２はシリコーンゴムなどの耐熱性ゴムから形成されており、その内周部にて、集魚灯４０１の管球部４０２に、その膨張部の上側裾部に全周に亙って接しており、この接触により管球部４０２の横揺れを防止している。
【０００６】
集魚灯保持具４０５の頂部には、シリコーンゴム製の円盤状カバー（中央に円孔を有するもの）４１３が装着されており、しぶきとなった海水、あるいは雨水が口金４０３の周囲に侵入するのを防いでいる。なお、この円盤状カバー４１３は、その内側部（口金４０３の周囲）に僅かに侵入した海水、雨水が凝縮するのを防ぐために穴（図示なし）を有している。
【０００７】
【発明が解決しようとする課題】
前述のように近年では、集魚灯の大光量化と管球体積を小さくする（放熱表面積の減少になる）傾向により、点灯時の集魚灯の外管の温度は非常に高温となるため、従来より使用されている図４のような構成の集魚灯具（集魚灯の保持具）では安全かつ確実な保持が困難になってきており、この解決が必要となる。
【０００８】
【課題を解決するための手段】
本発明は、可撓性を有する金属製リング状基部、該金属製リング状基部の外側周縁に沿って立設された、集魚灯保持具の開口部の外周部にはめ合される金属製壁部、そして該金属製リング状基部の内側周縁に沿って金属製壁部と同じ方向に更に内周側に傾斜を以って立設された、集魚灯を保持具に固定するための可撓性金属製板状固定手段からなり、該固定手段が三個以上の部分に互いに切り離された板状片から構成され、かつ該板状片の内側に、集魚灯と点接触する突起が備えられている集魚灯の固定具にある。
なお、上記の金属製壁部は、集魚灯保持具の開口部の外周部との密着性を高めるために、耐熱性と可撓性とを有する樹脂材料により被覆されていることが好ましい。
【０００９】
本発明はまた、管球の先端または中央部の外径が、口金に埋め込まれている管球基部の外径よりも大きくされている管球とねじ込み式の口金とからなる集魚灯を、電源に接続され、管球口金ホルダを内部に有する集魚灯保持具と、該集魚灯保持具の開口部の外周部にめ合わされている集魚灯固定具とによって保持固定する集魚灯の保持固定方法であって、該集魚灯固定具が上記の本発明の集魚灯の固定具であることを特徴とする集魚灯の保持固定方法にもある。
【００１０】
次に添付図面を参照しながら、本発明を詳しく説明する。
本発明の集魚灯の固定具と、その固定具を用いる集魚灯の保持固定方法の代表的な構成を、集魚灯として近年用いられている円筒状管球を有するメタルハライド集魚灯を用いる態様を例にして図１、図２および図３に示す。
【００１１】
集魚灯１０１は、基本的な構成としては、管球１０２の先端または中央部の外径が、口金１０３に埋め込まれている管球基部の外径よりも大きくされている管球１０２とねじ込み式の口金１０３とからなるものであり、この点においては従来の集魚灯４０１の構成と同じである。ただし、前述のように、近年では、船への集魚灯の搭載数を増加させるために、集魚灯の体積を減少させる傾向があり、この場合には図１のように、管球の膨張度を少なくした円筒状の管球が用いられる傾向がある。本発明の集魚灯の固定具と保持固定方法は、そのような管球の膨張度を減少させた集魚灯（すなわち、放熱が少なくなるため、高温になりやすい集魚灯）の保持固定に特に適しているが、従来より用いられている図４に示されているような膨張度の高い管球からなる集魚灯の保持固定にも勿論有効である。なお集魚灯としては、メタルハライド集魚灯のような金属蒸気放電灯、ハロゲン集魚灯等のいずれであってもよく、管球部の材料は石英、ガラスなどのいずれであってもよい。
【００１２】
集魚灯具（集魚灯の保持固定装置）１０４の基本構成も、従来より使用されている集魚灯具と同様であり、集魚灯保持具１０５と集魚灯保持具１０５の外周部にリング状基部１０６で螺合されている管球保持固定部材１０７とから基本的に構成されている。集魚灯保持具と集魚灯保持固定部材とはいずれも、アルミニウムなどの金属材料、あるいはポリプロピレン、ポリエチレン、ＡＢＳ樹脂、ポリアセタール、ポリカーボネート、ＦＲＰ等のような機械的強度、耐候性、耐水性が優れた合成樹脂から形成することが好ましい。ただし、必ずしも両者を同一の材料で製造する必要はない。また、必要において部分的に合成樹脂と金属材料とを組合せて用いてもよい。
【００１３】
集魚灯保持具１０５は、電源コード１０８によって電源（図示なし）に接続されていて、その内部には、集魚灯口金ホルダ１０９が収容保持されている。集魚灯保持具１０５の外周部には、ねじ１１０が備えられており、一方、管球保持部材１０７の基部１０６の内側には、ねじ１１０に対応するねじ１０６ａが切られていて、それらは、集魚灯保持具１０５と管球保持固定部材１０７とを相対的に逆に回転させることにより、管球保持固定部材１０７が上下に移動可能なように螺合されている。すなわち、この回転を利用して管球保持固定部材１０７を相対的に下方向に移動させて、上部が口金１０３で集魚灯保持具１０５によって保持された集魚灯の管球膨張部の上側裾部を、その上側から押さえ付けることができる。
【００１４】
管球保持固定部材１０７は、内側にねじ部１０６ａを有するリング状基部１０６、そのリング状基部１０６より立設する数本の支柱１１１を介してその頂部に備えられたリング状（中央に円孔を有する円盤状）の保持部１１２、そして保持部１１２にはめ合され、固定された集魚灯固定具１１３とから構成されている。集魚灯固定具１１３の詳しい構成は、図２と図３にそれぞれ斜視図と底面図とにより示されている。すなわち、集魚灯固定具１１３は、可撓性を有する金属製（ステンレススチールなど）のリング状基部１１４、金属製リング状基部１１４の外側周縁に沿って立設された耐熱性と可撓性とを有する樹脂材料（シリコーンゴムなど）１１５により被覆された、集魚灯保持具の開口部の外周部にはめ合される金属製壁部１１６、そして金属製リング状基部１１４の内側周縁に沿って金属製壁部と同じ方向に更に内周側に傾斜を以って立設された、集魚灯を保持具に固定するための可撓性金属製板状固定手段１１７からなり、固定手段が三個以上（好ましくは四個以上、更に好ましくは６〜１０個）の部分に互いに切り離された板状片から構成され、かつ該板状片の内側に、集魚灯と点接触する突起１１８が備えられている。なお、金属製リング状基部１１４には、集魚灯固定具１１３の内部に入った水を排出するための穴１１９が設けられている。
【００１５】
本発明の集魚灯固定具の主構成材料は、前記のように可撓性を有するステンレススチールシートなどの金属シートから形成されたリング状基部１１４である。そして、その外周側を絞るようにして壁部１１６が設けられている。この壁部１１６は、リング状保持部１１２の外周面との密着性を高めるために、シリコーンゴムのような耐熱性と可撓性を有する樹脂材料１１５により被覆されており、この樹脂材料１１５を介して管球保持固定部材のリング状保持部１１２の外周面に密着するようにはめ合わされる。一方、リング状基部１１４の内周側１１７も、壁部１１６と同じ方向に、傾斜を以って絞られる。また、この絞られた内周面は部分的な切断により、数個のブロックに区画される。このため、各ブロックはそれ自体、弾力を持つ板バネとしての機能を示す。そして、各ブロックには半球状などの形状の突起１１８が内周面（管球に接する側の面）に設けらており、この突起１１８が管球を点接触を介して固定する機能を果す。すなわち、本発明の集魚灯固定具を用いることにより、管球の固定が点接触で実現するため、まず管球の熱が固定具に伝わりにくいという利点がある。また、点接触する突起が板バネ状のブロックに設けられているため、点接触という小面積による支持固定の場合に心配される、保持具に与えられる衝撃の管球への直接的な影響を板バネの介在により軽減することができるという利点もある。
【００１６】
従って、本発明の集魚灯の固定具を用いると、集魚灯が強い風にさらされた場合や、船の横揺れなどの場合に発生する管球の横揺れに柔らかく対応することができ、そのような横揺れの発生の場合でも集魚灯を確実に保持固定し続けることができる。また、金属製リング状材料は耐熱性が高いため、従来のようにシリコーンゴムを保持材料として用いた場合に発生しやすかった保持材料の劣化、そしてその劣化に伴なう緩衝作用の劣化を効果的に回避することができる。
【００１７】
【発明の効果】
本発明の集魚灯の固定具を利用して集魚灯を保持固定することによって、近年の集魚灯の大光量化と管球体積を減少（＝放熱表面積の減少）により発生する点灯時の集魚灯の外管の高温化に対抗でき、そのような集魚灯を安全かつ確実に保持することができる。
【図面の簡単な説明】
【図１】本発明に従う集魚灯の保持固定方法の例を示す図である。
【図２】本発明に従う集魚灯の固定具の例の斜視図を示す図である。
【図３】本発明に従う図２の集魚灯の固定具の底面図を示す図である。
【図４】従来より一般的に用いられている集魚灯具による集魚灯の保持方法を示す図である。
【符号の説明】
１０１  集魚灯
１０２  管球
１０３  口金
１０４  集魚灯具
１０５  集魚灯保持具
１０６  リング状基部
１０６ａ  ねじ部
１０７  管球保持固定部材
１０８  電源コード
１０９  集魚灯口金ホルダ
１１０  ねじ
１１１  支柱
１１２  保持部
１１３  集魚灯固定具
１１４  金属製リング状基部
１１５  樹脂材料
１１６  金属製外周側壁部
１１７  可撓性金属製板状固定手段
１１８  突起
１１９  穴
４０１  集魚灯
４０２  管球
４０３  口金
４０４  集魚灯具
４０５  集魚灯保持具
４０６  リング状基部
４０６ａ  ねじ部
４０７  管球保持固定部材
４０８  電源コード
４０９  集魚灯口金ホルダ
４２０  ねじ
４１１  支柱
４１２  コイルバネ
４１３  円盤状カバー
【図１】
0003545497.tif 000002
【図２】
0003545497.tif 000003
【図３】
0003545497.tif 000004
【図４】
0003545497.tif 000005